(57)【要約】【課題】量子化された音声データを再生して音声出力する音声再生回路において、より確実にポップノイズの低減できるようにする。【解決手段】量子化された音声データを再生して音声出力する音声出力部１０１と、音声出力部１０１の音声出力を増幅するアンプ回路１０６と、アンプ回路１０６の入力をショートさせるためのスイッチ回路１０５とを設ける。そして、音声出力部１０１によって、音声出力をする前に、スイッチ回路１０５をオンにしてアンプ回路１０６の入力をショートさせ、音声出力を開始した後に、スイッチ回路１０５をオフにする。【選択図】図１
2008211316.tif 000002
【特許請求の範囲】
【請求項１】
量子化された音声データを再生して音声出力をする音声出力部と、
前記音声出力部の音声出力を増幅するアンプ回路と、
前記アンプ回路の入力をショートさせるためのスイッチ回路とを備え、
前記音声出力部は、音声出力をする前に、前記スイッチ回路をオンにして前記アンプ回路の入力をショートさせ、音声出力を開始した後に、前記スイッチ回路をオフにするように構成されていることを特徴とする音声再生回路。
【請求項２】
請求項１の音声再生回路であって、
前記スイッチ回路は、前記音声出力部の音声出力と前記アンプ回路の入力との間に設けられたコンデンサと、前記アンプ回路の入力と接地の間に設けられた抵抗と、前記抵抗に並列接続されたトランジスタとを備えていることを特徴とする音声再生回路。
【請求項３】
請求項２の音声再生回路であって、
前記トランジスタは、ＭＯＳＦＥＴであることを特徴とする音声再生回路。
【請求項４】
請求項３の音声再生回路であって、
前記音声出力部は、前記ＭＯＳＦＥＴのベース電位を制御して、前記スイッチ回路のオンオフを制御することを特徴とする音声再生回路。
【請求項５】
請求項１の音声再生回路であって、
前記音声出力部は、スイッチ回路をオンにしてから、ソフトウエア制御で一定時間待機した後に、音声出力することを特徴とする音声再生回路。
【請求項６】
請求項１の音声再生回路であって、
量子化された音声データを再生する内部音声再生回路と、
前記内部音声再生回路の出力、及びＧＮＤの何れかを選択するマルチプレクサ回路と、
前記内部音声再生回路の起動及び停止を制御する音声ＥＮフラグ信号を入力とし、前記音声ＥＮフラグ信号を一定のディレイ時間遅延させた第１のディレイ信号と、前記第１のディレイ信号の遅延量よりも大きな量の遅延をさせた第２のディレイ信号を出力するディレイ回路とを備え、
前記マルチプレクサ回路は、前記第１のディレイ信号によって選択動作が制御され、
前記内部音声再生回路は、前記第２のディレイ信号と、前記内部音声再生回路に対して再生開始を要求する再生要求信号との論理積信号によって再生動作が制御され、
前記スイッチ回路は、前記音声ＥＮフラグ信号と前記第２のディレイ信号との排他的論理和信号によって制御されることを特徴とする音声再生回路。
【発明の詳細な説明】
【技術分野】
【０００１】
本発明は、量子化された音声データを再生して音声出力する音声再生回路に関するものである。
【背景技術】
【０００２】
音声再生技術は、音響製品はもとより、電子レンジや炊飯器といった白物家電から、メーター、リモコン、警報機に至るまで幅広く使用されている。主な用途としては、機器の操作手順について、音声を使ってガイドしたり、何らかの異常発生時に音声で注意、警告したりする用途が挙げられる。
【０００３】
このような音声再生を行う音声再生回路では、電源スイッチのオンオフ時や、内蔵スピーカと外部スピーカの切り替え時などにポップノイズが発生する場合がある。
【０００４】
また、音声再生回路が電子レンジに用いられた例では、無音時において、例えば、音声出力を所定の電位（例えば１／２Ｖｄｄ）に固定した状態にしておくと、マグネトロン発振時に発生する高周波ノイズを拾い、この高周波ノイズが増幅されて、不定な音としてスピーカから出力されてしまう場合がある。
【０００５】
上記のポップノイズは不快な音であるので、音声再生回路のなかには、ポップノイズを低減させる仕組みが設けられたものがある。その一例としては、電源スイッチのオンオフ時に、スピーカを駆動する電力増幅器の入力側を一時的にショートさせるようにしてポップノイズの低減を図ったものがある（例えば、特許文献１を参照）。
【０００６】
また、音声再生開始時や、音声再生終了時におけるレベル変化を緩やかにして、ポップノイズを低減させることも考えられる。具体的には、量子化された音声データを再生して音声出力する機能を有するマイクロコンピュータを備えた音声再生回路において、そのマイクロコンピュータのＤＡ（Ｄｉｇｉｔａｌ  ｔｏ  Ａｎａｌｏｇ）機能を使い、ソフト制御で音声出力のレベルを変化させたり、また、音声再生開始時や音声再生終了時に、高周波パルスの周波数を徐々に変化させて、このパルスを、積分回路を通してから出力することによってレベルを変化させたりすることなどが考えられる。
【特許文献１】特開２００２−３５４５７１号公報
【発明の開示】
【発明が解決しようとする課題】
【０００７】
しかしながら、上記の音声再生回路は、ポップノイズを完全に抑制できる方法ではない。例えば、使用される増幅器のゲイン調整が大きい場合は、ちょっとのレベル変化であっても、結果的に大きなポップノイズとしてスピーカから出力されてしまう。また、ポップノイズの振幅差が小さいものであっても、レベル変化が急であれば、高周波の異音となって聞こえる。この異音は、レベルは小さくても、特に無音時にはとても不快な音に感じる。
【０００８】
また、音声再生開始時や、音声再生終了時におけるレベル変化を緩やかにする方法では、音声出力の立ち上がりや、立ち下がりの変化を緩やかにすればするほどポップノイズは聞こえにくくなるが、キーを押下してブザーを作動させる場合など、即答が求められる音声に対しては不向きである。しかも、変化を制御するためのＤＡ機能や、高周波パルスを作成するためのタイマ回路における分解能に限界がある。
【０００９】
本発明は、上記の問題に着目してなされたものであり、量子化された音声データを再生して音声出力する音声再生回路において、より確実にポップノイズの低減できるようにすることを目的としている。
【課題を解決するための手段】
【００１０】
上記の課題を解決するため、本発明の一態様は、
量子化された音声データを再生して音声出力をする音声出力部と、
前記音声出力部の音声出力を増幅するアンプ回路と、
前記アンプ回路の入力をショートさせるためのスイッチ回路とを備え、
前記音声出力部は、音声出力をする前に、前記スイッチ回路をオンにして前記アンプ回路の入力をショートさせ、音声出力を開始した後に、前記スイッチ回路をオフにするように構成されていることを特徴とする。
【発明の効果】
【００１１】
本発明によれば、より確実にポップノイズを低減することが可能になる。
【発明を実施するための最良の形態】
【００１２】
以下、本発明の実施形態について図面を参照しながら説明する。なお、以下の各実施形態の説明において、一度説明した構成要素と同様の機能を有する構成要素については、同一の符号を付して説明を省略する。
【００１３】
《発明の実施形態１》
図１は、本発明の実施形態１に係る音声再生回路１００の構成を示すブロック図である。音声再生回路１００は、図１に示すように、音声出力部１０１（図中ではＭＣＵと記載）、抵抗１０２、コンデンサ１０３、ボルテージフォロア回路１０４、スイッチ回路１０５、アンプ回路１０６、及びスピーカ１０７を備えている。
【００１４】
音声出力部１０１は、量子化された音声データを、ＤＡ（Ｄｉｇｉｔａｌ  ｔｏ  Ａｎａｌｏｇ）コンバータによって変換し、音声アナログ信号（音声出力信号Ｓ０１）として出力する機能と、スイッチ回路１０５のオンオフを制御する機能を有している。
【００１５】
この音声出力部１０１は、スイッチ回路１０５のオンオフを制御するために、スイッチ回路１０５に対して信号（調整出力信号Ｓ０２）を出力する。調整出力信号Ｓ０２を出力する期間は、マスクカウンタを用いて制御する。このマスクカウンタは、ハードウエアで実現してもよいし、ソフトウエアで実現してもよい。
【００１６】
また、音声出力部１０１は、量子化された音声データ再生して音声出力信号Ｓ０１を出力する内部音声再生回路（図１には図示せず）を有している。
【００１７】
この内部音声再生回路は、入力された制御信号（Ｐｌａｙフラグ信号Ｓ０３）に応じ、音声再生を行うか否かが制御されるようになっている。具体的には、Ｐｌａｙフラグ信号Ｓ０３がオンの場合には、内部音声再生回路内部のサンプリングクロック回路にクロックが供給されて音声再生が行われる。一方、Ｐｌａｙフラグ信号Ｓ０３がオフの場合には、サンプリングクロック回路に供給されるクロック入力が遮断され、音声再生されない。
【００１８】
また、内部音声再生回路の出力（すなわち音声出力信号Ｓ０１）は、音声出力部１０１が内部で使用する音声ＥＮフラグ信号Ｓ０４によって、オンオフが制御される。なお、この内部音声再生回路では、音声ＥＮフラグ信号Ｓ０４がオフの場合には、出力をＧＮＤレベルに固定する。また、音声ＥＮフラグ信号Ｓ０４がオンで、出力が無音の場合には、出力を１／２Ｖｄｄレベルに固定する。
【００１９】
上記の音声出力部１０１は、具体的には、マイクロコンピュータ（ＭＣＵ）等によって構成することができる。
【００２０】
抵抗１０２とコンデンサ１０３とは、ローパスフィルタを構成しており、音声出力部１０１が出力した音声出力信号Ｓ０１から高周波ノイズを除去するようになっている。
【００２１】
ボルテージフォロア回路１０４は、ローパスフィルタ出力のインピーダンス変換を行うようになっている。
【００２２】
スイッチ回路１０５は、ボルテージフォロア回路１０４の出力の直流成分をカットすると同時に低周波ノイズを除去する機能と、音声出力部１０１の制御に応じてアンプ回路１０６の入力をショートさせる機能を有している。この例では、スイッチ回路１０５は、コンデンサ１０５ａと、抵抗１０５ｂと、トランジスタ１０５ｃとを備えている。
【００２３】
コンデンサ１０５ａは、ボルテージフォロア回路１０４からの出力の直流成分をカットすると同時に、抵抗１０５ｂとともに、低周波ノイズを除去するためのハイパスフィルタを構成している。
【００２４】
トランジスタ１０５ｃは、抵抗１０５ｂに並列接続され、ベース電位が制御されることによって、アンプ回路１０６の入力をショートさせるようになっている。具体的には、トランジスタ１０５ｃのベースには、調整出力信号Ｓ０２が入力されている。トランジスタ１０５ｃは、例えば、ＭＯＳＦＥＴ（Ｍｅｔａｌ−Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）を採用することができる。ＭＯＳＦＥＴを採用することにより、内部抵抗をゼロに近づけることが可能になり、抵抗１０５ｂの両端を短絡させた時における抵抗１０５ｂの両端の電位は、ＧＮＤレベルとみなすことができる。
【００２５】
アンプ回路１０６は、２つの入力を受けて、この２入力の差分を増幅して出力するようになっている。本実施形態では、アンプ回路１０６は、２つの入力のうちの一方にハイパスフィルタを介したボルテージフォロア回路１０４の出力が入力され、もう一方の入力がＧＮＤに固定されており、アンプ回路１０６の出力でスピーカ１０７を駆動する。スピーカ１０７は、例えば、音声再生回路１００が応用される機器に内蔵されている内蔵スピーカ等である。
【００２６】
次に音声再生回路１００の動作を、図２を用いて説明する。図２は、実施形態１に係る音声出力信号Ｓ０１や調整出力信号Ｓ０２等のタイミングチャートである。
【００２７】
音声再生を開始する場合は、まず、音声出力部１０１は、音声出力信号Ｓ０１をオンにしてトランジスタ１０５ｃをセットし、抵抗１０５ｂの両端を短絡させる。これにより、アンプ回路１０６の２つの入力端子は、ＧＮＤレベルとなり、その結果、出力が強制的にミュートされた状態となる。同時に、音声出力部１０１は、マスクカウンタに、音声出力信号Ｓ０１をオンにする時間（Ｔｍｓｋ時間）をセットし、ソフトウエア制御でカウントダウンする。Ｔｍｓｋの値は、十分にポップノイズが収束したと思われるタイミングを考慮して設定する。
【００２８】
そして、音声出力部１０１は、マスクカウンタが残り１／２Ｔｍｓｋ時間となった時点で、音声ＥＮフラグ信号Ｓ０４をオンにする。これにより、音声出力信号Ｓ０１は、ＧＮＤレベルから１／２Ｖｄｄレベルに変化する。この時、音声出力信号Ｓ０１の直流成分は、コンデンサ１０５ａによってカットされるため、電位点Ｐ１（図１を参照）のレベル変化はなく、ポップノイズも発生しない。
【００２９】
次に、音声出力部１０１は、マスクカウンタがＴｍｓｋ時間のカウントを満了した時点で、調整出力信号Ｓ０２をオフにし、続いてＰｌａｙフラグ信号Ｓ０３をオンにする。Ｐｌａｙフラグ信号Ｓ０３がオンになると、音声出力部１０１内の内部音声再生回路が起動する。これにより、量子化された音声データがＤＡコンバータによって変換され、音声アナログ信号として出力される。
【００３０】
また、調整出力信号Ｓ０２がオフになった時点で、トランジスタ１０５ｃがオフになるので、抵抗１０５ｂの短絡状態が解除されると同時に、音声アナログ信号がアンプ回路１０６に入力され、音声がスピーカ１０７から出力される。
【００３１】
音声再生を終了する場合も同様である。まず、音声出力部１０１は、音声ＥＮフラグ信号Ｓ０４をオフにし、音声再生機能を止める。その後、調整出力信号Ｓ０２をオンにするとともに、さらに、マスクカウンタにＴｍｓｋ時間をセットし、ソフトウエア制御でカウントダウンする。これにより、トランジスタ１０５ｃがセットされて、抵抗１０５ｂの両端が短絡される。また、アンプ回路１０６の２つの入力端子は、ＧＮＤレベルとなり、強制的にミュートされた状態となる。
【００３２】
そして、マスクカウンタが残り１／２Ｔｍｓｋ時間となった時点で、音声ＥＮフラグ信号Ｓ０４をオフにする。これにより、音声出力信号Ｓ０１は、１／２ＶｄｄレベルからＧＮＤレベルに変化する。この時も、音声出力信号Ｓ０１の直流成分は、コンデンサ１０５ａによってカットされるため、電位点Ｐ１のレベル変化はなく、ポップノイズも発生しない。
【００３３】
最後に、音声出力部１０１は、マスクカウンタがＴｍｓｋ時間のカウントを満了した時点で、調整出力信号Ｓ０２をオフにする。その結果、トランジスタ１０５ｃがオフになり、抵抗１０５ｂの短絡状態が解除される。
【００３４】
以上のように、音声再生回路１００では、ポップノイズが発生する可能性がある期間は、アンプ回路１０６の出力が強制的にミュートされた状態となる。すなわち、本実施形態によれば、ポップノイズ発生を防止することが可能になる。
【００３５】
また、音声ＥＮフラグ信号Ｓ０４がオフの場合には、内部音声再生回路の出力がＧＮＤレベルに固定されるので、音声再生回路１００が例えば白物家電等に設けられた例では、待機電力を減らすことが可能になる。
【００３６】
また、例えば、音声再生回路１００が電子レンジに組み込まれた例では、マグネトロン発振時に発生する高周波ノイズを拾って、この高周波ノイズが増幅されて、音声出力信号Ｓ０１に悪影響を及ぼす可能性があるが、本実施形態では、上記のように、未使用時に内部音声再生回路の出力をＧＮＤレベルに固定しておくことで、このような悪影響を防止することが可能になる。
【００３７】
また、アンプ回路の入力端子の両端をショートさせるためのスイッチ回路として、従来はトランジスタを用いられた例はあるが、トランジスタ内部でも電圧降下成分があり、また、スイッチングの応答が遅い。しかしながら、ＭＯＳＦＥＴによってスイッチングすることで、より的確にポップノイズが抑制できる。
【００３８】
《発明の実施形態２》
実施形態２では、調整出力信号Ｓ０２の出力制御等をハードウエアで実現する例を説明する。図３は、本発明の実施形態２に係る音声再生回路に用いられる音声出力部２００の構成を示すブロック図である。音声出力部２００は、同図に示すように、ディレイ時間レジスタ２０１、ディレイ回路２０２、内部音声再生回路２０３、ＡＮＤ回路２０４、ＸＯＲ回路２０５、及びマルチプレクサ回路２０６（図中ではＭＵＸと記載）を備えている。なお、音声出力部２００以外の部分は、音声再生回路１００と同じ構成である。
【００３９】
ディレイ時間レジスタ２０１は、Ｔｍｓｋ時間を設定するためのレジスタである。
【００４０】
ディレイ回路２０２は、音声ＥＮフラグ信号Ｓ０４を所定量遅延させた信号と、その遅延信号よりもさらに遅延させた信号とを出力するようになっている。本実施形態では、ディレイ回路２０２は、音声ＥＮフラグ信号Ｓ０４を１／２Ｔｍｓｋ時間（Ｔｍｓｋは、実施形態１を参照）遅らせた信号（第１のディレイ信号Ｓ０５）と、音声ＥＮフラグ信号Ｓ０４をＴｍｓｋ時間遅らせた信号（第２のディレイ信号Ｓ０６）とを出力するようになっている。なお、Ｔｍｓｋ時間の値は、ディレイ時間レジスタ２０１から取得する。
【００４１】
内部音声再生回路２０３は、量子化された音声データ再生するようになっている。この例では内部音声再生回路２０３は、メモリインターフェース２０３ａ（図中では、メモリＩ／Ｆと記載）、ＡＤＰＣＭ伸張回路２０３ｂ、ボリューム調整回路２０３ｃ、ＤＡコンバータ２０３ｄ（図中では２０−ｂｉｔ  ＤＡＣと記載）、サンプリングクロック回路２０３ｅ、及びＯＲ回路２０３ｆを備えている。
【００４２】
メモリインターフェース２０３ａは、量子化された音声データが格納されているメモリ（図示せず）から音声データを取得するようになっている。
【００４３】
ＡＤＰＣＭ伸張回路２０３ｂ（ＡＤＰＣＭ：Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）は、メモリインターフェース２０３ａが取得した音声データを伸張するようになっている。ＡＤＰＣＭ伸張回路２０３ｂにおける伸張動作のオンオフは、内部音声再生回路２０３の外部から入力された制御信号Ｓ０７によって制御される。
【００４４】
ボリューム調整回路２０３ｃは、ＡＤＰＣＭ伸張回路２０３ｂの音量を調整するようになっている。ＤＡコンバータ２０３ｄは、ボリューム調整回路２０３ｃの出力を音声アナログ信号に変換するようになっている。サンプリングクロック回路２０３ｅは、ＡＤＰＣＭ伸張回路２０３ｂとＤＡコンバータ２０３ｄとにクロック信号を供給するようになっている。サンプリングクロック回路２０３ｅには、ＯＲ回路２０３ｆを介してクロック信号が供給されており、制御信号Ｓ０７によって、クロック信号のサンプリングクロック回路２０３ｅへの供給の有無が制御される。なお、内部音声再生回路２０３は、無音状態では、出力を１／２Ｖｄｄレベルに固定するものとする。
【００４５】
ＡＮＤ回路２０４は、Ｐｌａｙフラグ信号Ｓ０３と第２のディレイ信号Ｓ０６とを入力とし、出力を制御信号Ｓ０７としてＯＲ回路２０３ｆへ出力するようになっている。
【００４６】
ＸＯＲ回路２０５は、音声ＥＮフラグ信号Ｓ０４と第２のディレイ信号Ｓ０６とを入力とし、出力が調整出力信号Ｓ０２として音声出力部２００の外部へ出力されるようになっている。
【００４７】
マルチプレクサ回路２０６は、第１のディレイ信号Ｓ０５に応じ、ＤＡコンバータ２０３ｄの出力及びＧＮＤのうちの何れか一方を選択して、音声出力信号Ｓ０１として出力するようになっている。
【００４８】
次に本実施形態に係る音声再生回路の動作を、図４を用いて説明する。図４は、実施形態２に係る音声出力信号Ｓ０１や調整出力信号Ｓ０２等のタイミングチャートである。
【００４９】
初期状態では、音声ＥＮフラグ信号Ｓ０４がオフなので、第１のディレイ信号Ｓ０５もオフになる。すなわち、初期状態では、マルチプレクサ回路２０６は、出力としてＧＮＤを選択し、音声出力信号Ｓ０１がＧＮＤレベルに固定される。
【００５０】
音声再生を開始する場合には、ユーザはソフトウエア制御で、音声ＥＮフラグ信号Ｓ０４をオン（Ｈｉｇｈレベル）にする。この時点では、音声ＥＮフラグ信号Ｓ０４と第２のディレイ信号Ｓ０６は同レベルなので、調整出力信号Ｓ０２がオンになる。
【００５１】
音声ＥＮフラグ信号Ｓ０４がオンになってから１／２Ｔｍｓｋ経過すると、第１のディレイ信号Ｓ０５がオンになる。これにより、マルチプレクサ回路２０６が切り替わり、音声出力信号Ｓ０１として内部音声再生回路２０３の出力が選択される。この時点では、内部音声再生回路２０３では、音声再生が行われていないので、音声出力信号Ｓ０１が１／２Ｖｄｄレベルになる。
【００５２】
さらに、１／２Ｔｍｓｋ経過すると第２のディレイ信号Ｓ０６がオンになるので、調整出力信号Ｓ０２がオフになる。ここで、ユーザがソフトウエア制御で、Ｐｌａｙフラグ信号Ｓ０３をオンにすると、ＡＮＤ回路２０４の出力（すなわち制御信号Ｓ０７）がオンになる。これにより、サンプリングクロック回路２０３ｅによって、クロックがＡＤＰＣＭ伸張回路２０３ｂ等に供給されるとともに、内部音声再生回路２０３では、音声再生が開始される。
【００５３】
音声再生を終了する場合には、Ｐｌａｙフラグ信号Ｓ０３、及び音声ＥＮフラグ信号Ｓ０４をともにオフにする。この時点では、音声ＥＮフラグ信号Ｓ０４と第２のディレイ信号Ｓ０６は同レベルなので、調整出力信号Ｓ０２がオンになる。
【００５４】
また、Ｐｌａｙフラグ信号Ｓ０３がオフになると、制御信号Ｓ０７もオフになるので、内部音声再生回路２０３における音声再生が停止する。これにより、音声出力信号Ｓ０１は１／２Ｖｄｄレベルになる。
【００５５】
音声ＥＮフラグ信号Ｓ０４がオフになってからから１／２Ｔｍｓｋ経過すると、第１のディレイ信号Ｓ０５がオフになる。これにより、マルチプレクサ回路２０６が切り替わり、音声出力信号Ｓ０１としてＧＮＤが選択される。
【００５６】
さらに、１／２Ｔｍｓｋ経過すると第２のディレイ信号Ｓ０６がオフになるので、調整出力信号Ｓ０２がオフになる。
【００５７】
以上のように、調整出力信号Ｓ０２の出力制御等がハードウエアで実現されているので、本実施形態によれば、ソフトウエア制御の負担を軽減し、音声再生機能の利便性を向上することが可能になる。
【００５８】
なお、上記の各実施形態では、音声出力部としてマイクロコンピュータ（ＭＣＵ）を例に説明したが、音声再生用ＩＣなどを用いても同様の効果が得られることは明らかである。
【産業上の利用可能性】
【００５９】
本発明に係る音声再生回路は、より確実にポップノイズを低減することが可能になるという効果を有し、量子化された音声データを再生して音声出力する音声再生回路等として有用である。
【図面の簡単な説明】
【００６０】
【図１】実施形態１に係る音声再生回路１００の構成を示すブロック図である。
【図２】実施形態１に係る音声出力信号Ｓ０１や調整出力信号Ｓ０２等のタイミングチャートである。
【図３】実施形態２に係る音声再生回路に用いられる音声出力部２００の構成を示すブロック図である。
【図４】実施形態２に係る音声出力信号Ｓ０１や調整出力信号Ｓ０２等のタイミングチャートである。
【符号の説明】
【００６１】
１００      音声再生回路
１０１      音声出力部
１０２      抵抗
１０３      コンデンサ
１０４      ボルテージフォロア回路
１０５      スイッチ回路
１０５ａ    コンデンサ
１０５ｂ    抵抗
１０５ｃ    トランジスタ
１０６      アンプ回路
１０７      スピーカ
２００      音声出力部
２０１      ディレイ時間レジスタ
２０２      ディレイ回路
２０３      内部音声再生回路
２０３ａ    メモリインターフェース
２０３ｂ    ＡＤＰＣＭ伸張回路
２０３ｃ    ボリューム調整回路
２０３ｄ    ＤＡコンバータ
２０３ｅ    サンプリングクロック回路
２０３ｆ    ＯＲ回路
２０４      ＡＮＤ回路
２０５      ＸＯＲ回路
２０６      マルチプレクサ回路
Ｓ０１      音声出力信号
Ｓ０２      調整出力信号
Ｓ０３      Ｐｌａｙフラグ信号
Ｓ０４      音声ＥＮフラグ信号
Ｓ０５      第１のディレイ信号
Ｓ０６      第２のディレイ信号
Ｓ０７      制御信号
【図１】
2008211316.tif 000003
【図２】
2008211316.tif 000004
【図３】
2008211316.tif 000005
【図４】
2008211316.tif 000006